(57)【要約】【課題】ねじが外れた状態で把手を持ち上げても鍋が容易に落下しなくて安全なこと。【解決手段】調理物を収容する本体２と、本体２の外壁５に一端７を固定した２個の板状の金具３と、前記金具３の他端８と固定した樹脂製の把手４とを備え、金具３は、把手４の下方からねじ９で把手４と固定され、把手４は、他端８の外形の周囲に金具３を把手４にセットしたときの水平方向の動きを規制する位置規制部１０が形成され、かつ、他端８に設けた挿入部１１を下方から覆う引っ掛け部１２が設けられ、他端８に設けた回転防止部１３の前記本体２側の端面と当接しねじ９が外れたときに把手４が金具３から外れるのを防止するのに足る高さを有するように形成された壁１５を設けたこと。【選択図】図３
2010201053.tif 000002
【特許請求の範囲】
【請求項１】
調理物を収容する本体と、前記本体の外壁に一端を固定した２個の板状の金具と、前記金具の他端と固定した樹脂製の把手とを備え、前記金具は、前記把手の下方からねじで前記把手と固定され、前記把手は、前記他端の外形の周囲に前記金具を前記把手にセットしたときの水平方向の動きを規制する位置規制部が形成され、かつ、前記他端に設けた挿入部を下方から覆う引っ掛け部が設けられ、前記他端に設けた回転防止部の前記本体側の端面と当接し前記ねじが外れたときに前記把手が前記金具から外れるのを防止するのに足る高さを有するように形成された壁が設けられた把手付き鍋。
【請求項２】
調理物を収容する本体と、前記本体の外壁に一端を固定した２個の板状の金具と、前記金具の他端と固定した樹脂製の把手とを備え、前記金具は、前記把手の下方からねじで前記把手と固定され、前記把手は、前記他端の外形の周囲に前記金具を前記把手にセットしたときの水平方向の動きを規制する位置規制部が形成され、かつ、前記他端に設けた挿入部を下方から覆う引っ掛け部が設けられ、前記他端に設けた回転防止部を下方から覆う第二の引っ掛け部が設けられた把手付き鍋。
【請求項３】
２個の金具は、他端を対称形状とし、全体を同一形状とした請求項１または２に記載の把手付き鍋。
【請求項４】
把手は、引っ掛け部を前記把手と一体成形され、ねじが外れたときに前記把手が金具から外れる方向と異なる方向から挿入部を前記引っ掛け部に挿入してから前記金具を前記把手に前記ねじで固定した後に、前記把手が固定された前記金具を本体に固定されてなる請求項１〜３いずれか１項に記載の把手付き鍋。
【発明の詳細な説明】
【技術分野】
【０００１】
本発明は、把手を有する鍋に関する。
【背景技術】
【０００２】
従来、金具を介して樹脂製の把手を取り付けた鍋は、次のような方法で把手が鍋に取り付けられるのが一般的である（把手に金具をインサート成形する場合を除く）。すなわち、把手の下方から金具をねじで把手と固定する方法であり、金具は２個使用するのが普通である（例えば、特許文献１参照）。
【特許文献１】特開平１０−１４６２７８号公報
【発明の開示】
【発明が解決しようとする課題】
【０００３】
しかしながら、前記従来の構成では、樹脂劣化、締め付け不良、締め忘れなどの理由によりねじが外れたときに把手を持ち上げると、鍋が落下し、怪我をするという安全上の課題があった。
【０００４】
本発明は、前記従来の課題を解決するもので、ねじが外れた状態で把手を持ち上げても鍋が容易に落下しない安全な把手付き鍋を提供することを目的とする。
【課題を解決するための手段】
【０００５】
前記従来の課題を解決するために、本発明の把手付き鍋は、調理物を収容する本体と、前記本体の外壁に一端を固定した２個の板状の金具と、前記金具の他端と固定した樹脂製の把手とを備え、前記金具は、前記把手の下方からねじで前記把手と固定され、前記把手は、前記他端の外形の周囲に前記金具を前記把手にセットしたときの水平方向の動きを規制する位置規制部が形成され、かつ、前記他端に設けた挿入部を下方から覆う引っ掛け部が設けられ、前記他端に設けた回転防止部の前記本体側の端面と当接し前記ねじが外れたときに前記把手が前記金具から外れるのを防止するのに足る高さを有するように形成された壁を設けたものである。
【０００６】
これにより、ねじが外れた状態で把手を持ち上げても、金具の挿入部が把手の引っ掛け部に引っ掛かる、または、金具の回転防止部と把手の壁が接触して金具の回転を止めることにより、鍋の落下を防止することができる。
【発明の効果】
【０００７】
本発明の把手付き鍋は、ねじが外れた状態で把手を持ち上げても鍋の落下を防止できるものである。
【発明を実施するための最良の形態】
【０００８】
第１の発明は、調理物を収容する本体と、前記本体の外壁に一端を固定した２個の板状の金具と、前記金具の他端と固定した樹脂製の把手とを備え、前記金具は、前記把手の下方からねじで前記把手と固定され、前記把手は、前記他端の外形の周囲に前記金具を前記把手にセットしたときの水平方向の動きを規制する位置規制部が形成され、かつ、前記他端に設けた挿入部を下方から覆う引っ掛け部が設けられ、前記他端に設けた回転防止部の前記本体側の端面と当接し前記ねじが外れたときに前記把手が前記金具から外れるのを防止するのに足る高さを有するように形成された壁が設けられているので、金具の挿入部が把手の引っ掛け部に引っ掛かる、または、金具の回転防止部と把手の壁が接触して金具の回転を止めることにより、鍋の落下を防止することができる。
【０００９】
第２の発明は、調理物を収容する本体と、前記本体の外壁に一端を固定した２個の板状の金具と、前記金具の他端と固定した樹脂製の把手とを備え、前記金具は、前記把手の下方からねじで前記把手と固定され、前記把手は、前記他端の外形の周囲に前記金具を前記把手にセットしたときの水平方向の動きを規制する位置規制部が形成され、かつ、前記他端に設けた挿入部を下方から覆う引っ掛け部が設けられ、前記他端に設けた回転防止部を下方から覆う第二の引っ掛け部が設けられているので、金具の挿入部が把手の引っ掛け部に引っ掛かる、または、金具の回転防止部が第二の引っ掛け部に引っ掛かり金具の回転を止めることにより、鍋の落下を防止することができる。
【００１０】
第３の発明は、特に、第１または第２の発明において、２個の金具を、他端を対称形状とし、全体を同一形状としたとすることにより、部品点数を減らし、共用化によるコストダウンを図ることができる。
【００１１】
第４の発明は、特に、第１〜第３のいずれか１つの発明において、把手は、引っ掛け部を前記把手と一体成形され、ねじが外れたときに前記把手が金具から外れる方向と異なる方向から挿入部を前記引っ掛け部に挿入してから前記金具を前記把手に前記ねじで固定した後に、前記把手が固定された前記金具を本体に固定したことにより、引っ掛け部を把手と一体成形できるので、部品点数を減らし設計の簡素化で信頼性の向上を図ることができる。
【００１２】
以下、本発明の実施の形態について、図面を参照しながら説明する。なお、この実施の形態によって本発明が限定されるものではない。
【００１３】
（実施の形態１）
図１〜図８は、本発明の実施の形態１における把手付き鍋を示すものである。
【００１４】
図１、図２、図３は鍋の全体を示す平面図と下面図、および下面部分拡大図である。鍋１は調理物を収容する本体２と４個の金具３と２個の把手４で構成されている。本体２は金属製もしくはセラミック製で、把手４は樹脂製である。
【００１５】
具体的には、本体２の外壁５にねじ６で金具３の一端７が固定されている。この固定は、ねじ固定に限らず、リベット、かしめ、溶接、インサート成形などどのような固定方法でもよい。また、２個の金具３と１個の把手４を１対とし、金具３の他端８と把手４はねじ９で固定されている。鍋１は把手４を両手で持つことができるように、これを本体２の両側面に２対備えている。
【００１６】
ここで、把手４の固定について図４〜図８を用いて詳細に説明する。
図４、図５は把手４と金具３の取り付け状態を説明する斜視図、図６、図７は把手単品の斜視図、図８は金具の斜視図である。
【００１７】
把手４には、他端８の外形の周囲に金具３を把手４にセットしたときの水平方向の動きを規制する位置規制部１０が形成されている。位置規制部１０は、金具３との当接部を複数個所形成することで構成されているが、水平方向の動きを規制できていれば、位置規制の方法に制限はない。また、把手４には、他端８に設けた挿入部１１を下方から覆う引っ掛け部１２が設けられている。
【００１８】
また、把手４には、他端８に設けた回転防止部１３の鍋側の端面１４と当接し、ねじ９が外れたときに把手４が金具３から外れるのを防止するのに足る高さを有するように形成された壁１５が設けられている。回転防止部１３とは、ねじ９が全て外れた状態で把手４
の片方を持ち上げようとしたときに、把手４と金具３が相対的に回転するのを防止するものである。
【００１９】
また、２個の金具３は、他端８を対称形状とし、全体を同一形状としている。
【００２０】
本実施の形態では、引っ掛け部１２は把手４と一体成形されているが、引っ掛け部１２を把手４と別部材とし、例えば、ねじや溶着により把手４に固定にしてもよい。
【００２１】
ただし、引っ掛け部１２を把手４と一体成形する場合は、ねじ９が外れたときに把手４が金具３から外れる方向と異なる方向から挿入部１１を引っ掛け部１２に挿入してから金具３を把手４にねじ９で固定した後に、把手４が固定された金具３を本体２に固定する組み立て順序としている。
【００２２】
以上のように構成された鍋について、以下その動作、作用を説明する。
【００２３】
ねじ９が全て外れた状態（通常は起こりえないが、樹脂劣化、締め付け不良、締め忘れなどの理由によることを想定）で把手４の両方を同時に持ち上げると、本体２は自重で略鉛直下方に落下しようとするが、金具３の挿入部１１が把手４の引っ掛け部１２に引っ掛かるので、本体２の落下を防止することができ、把手４の動きにより異常を認知できる。
【００２４】
または、ねじ９が全て外れた状態で把手４の片方を持ち上げると、把手４は回転しながら金具３から外れようとするが、金具３の回転防止部１３と把手４の壁１５が接触して金具３の回転を止めることにより、把手４は金具３から外れないので、把手４が金具３から外れることによる本体２の落下を防止することができ、把手４の動きにより異常を認知できる。
【００２５】
結果、怪我を未然に防止することができるので、安全である。
【００２６】
また、２個の金具３を共用化しているので、部品点数を減らし、コストダウンを図ることができる。
【００２７】
また、引っ掛け部１２は把手４と一体成形しているので、部品点数を減らし設計の簡素化で信頼性の向上を図ることができる。
【００２８】
（実施の形態２）
図９は、本発明の実施の形態２における把手付き鍋を示すもので、把手４と金具３の取り付け状態を説明する斜視図である。本実施の形態は実施の形態１と原理は同じなので、相違点のみ説明する。
【００２９】
本実施の形態では、他端８に設けた回転防止部１６を下方から覆う第２の引っ掛け部が設けられている。
【００３０】
以上のように構成された鍋について、以下その動作、作用を説明する。
【００３１】
ねじ９が全て外れた状態（通常は起こりえないが、樹脂劣化、締め付け不良、締め忘れなどの理由によることを想定）で把手４の両方を同時に持ち上げると、本体２は自重で略鉛直下方に落下しようとするが、金具３の挿入部１１が把手４の引っ掛け部１２に引っ掛かるので、本体２の落下を防止することができ、把手４の動きにより異常を認知できる。
【００３２】
または、ねじ９が全て外れた状態で把手４の片方を持ち上げると、把手４は回転しなが
ら外れようとするが、金具３の回転防止部１６と把手４の第２の引っ掛け部１７に引っ掛かかるので、本体２の落下を防止することができ、把手４の動きにより異常を認知できる。
【００３３】
結果、怪我を未然に防止することができるので、安全である。
【００３４】
なお、本実施の形態では、引っ掛け部１２と第２の引っ掛け部１７は別にしているが、２つの部位を結合してもよいのはいうまでもない。この実施の形態の特徴は、金具３の把手４への取り付け自由度が低下するので、取り付け作業性は若干悪くなるが、金具３との引っ掛かりが確実となるので、信頼性が向上する。
【産業上の利用可能性】
【００３５】
以上のように、本発明にかかる鍋は、ねじが外れた状態で把手を持ち上げても鍋の落下を防止できるものであり、種々の把手付き鍋、すなわち、平面プレート、焼肉プレート、浅鍋、深鍋、天ぷら鍋、たこ焼きプレート等についても適用できるものである。
【図面の簡単な説明】
【００３６】
【図１】本発明の実施の形態１における把手付き鍋の平面図
【図２】同把手付き鍋の下面図
【図３】同把手付き鍋の下面部分拡大図
【図４】同把手付き鍋の把手と金具の取り付け状態を説明する斜視図
【図５】同把手付き鍋の把手と金具の取り付け状態を説明する斜視図
【図６】同把手付き鍋の把手単品の斜視図
【図７】同把手付き鍋の把手単品の斜視図
【図８】同把手付き鍋の金具の斜視図
【図９】本発明の実施の形態２における把手付き鍋の把手と金具の取り付け状態を説明する斜視図
【符号の説明】
【００３７】
１  鍋
２  本体
３  金具
４  把手
５  外壁
７  一端
８  他端
９  ねじ
１０  位置規制部
１１  挿入部
１２  引っ掛け部
１３、１６  回転防止部
１４  端面
１５  壁
１７  第２の引っ掛け部
【図１】
2010201053.tif 000003
【図２】
2010201053.tif 000004
【図３】
2010201053.tif 000005
【図４】
2010201053.tif 000006
【図５】
2010201053.tif 000007
【図６】
2010201053.tif 000008
【図７】
2010201053.tif 000009
【図８】
2010201053.tif 000010
【図９】
2010201053.tif 000011